(57)【要約】【課題】交換時期を示す目安を明確に視認でき、気化性固体状物の減容状態に応じた交換時期を容易に判別することができる揮散器を提供することを目的としている。【解決手段】空気に触れることで減容しつつ気化ガスを揮散する気化性固体状物２と、気化性固体状物２を保持する保持具３と、を備える揮散器１であって、保持具３には、気化性固体状物２を囲繞する環部３１と、環部３１の内周面に突設された支持部３３と、が備えられ、支持部３３が、環部３１の内周面に対して交差する方向に向けて延設されていると共に気化性固体状物２の外周部の内側に埋設されており、支持部３３を介して気化性固体状物２が支持されている。【選択図】図１
2011000330.tif 000002
【特許請求の範囲】
【請求項１】
空気に触れることで減容しつつ気化ガスを揮散する気化性固体状物と、該気化性固体状物を保持する保持具と、を備える揮散器であって、
前記保持具には、前記気化性固体状物を囲繞する環部と、該環部の内周面に突設された支持部と、が備えられ、
該支持部が、前記環部の内周面に対して交差する方向に向けて延設されていると共に前記気化性固体状物の外周部の内側に埋設されており、
前記支持部を介して前記気化性固体状物が支持されていることを特徴とする揮散器。
【請求項２】
請求項１に記載の揮散器において、
前記気化性固体状物が、前記環部の外側に膨出されていることを特徴とする揮散器。
【請求項３】
請求項２に記載の揮散器において、
前記環部には、該環部を介してカプセル状に組み合わされた一対のカップが脱着可能にそれぞれ装着されており、
該一対のカップによって、前記気化性固体状物の両側の膨出部がそれぞれ成形されると共に該気化性固体状物が密封されていることを特徴とする揮散器。
【請求項４】
請求項１から３のいずれか一項に記載の揮散器において、
前記支持部は、前記環部の径方向に沿って延在されていると共に前記環部の周方向に互いに間隔をあけて複数配設されていることを特徴とする揮散器。
【発明の詳細な説明】
【技術分野】
【０００１】
本発明は、空気に触れることで減容しつつ気化ガスを揮散する気化性固体状物を有する揮散器に関する。
【背景技術】
【０００２】
この種の揮散器として、従来、例えば下記特許文献１に記載されているような、ゲル状又は固体状の芳香剤、防虫剤、殺虫剤、除虫剤等（気化性固体状物）が中空のケースの内側に充填された構成が知られている。上記したケースの内側には、角筒状の筒状部材がケースと同軸に配設されており、この筒状部材は、ケース内周面に突設された突出部を介してケースに支持されている。また、筒状部材及び突出部は、上記した気化性固体状物内にそれぞれ埋設されており、これら筒状部材及び突出部によって気化性固体状物が保持されている。
【先行技術文献】
【特許文献】
【０００３】
【特許文献１】特開２００９−８２５０６号公報
【発明の概要】
【発明が解決しようとする課題】
【０００４】
ところで、上記した気化性固体状物は、空気に触れて気化ガスを揮散するのに伴い体積が徐々に縮小され、その体積の縮小に伴い気化ガスの揮散量が減少される。したがって、気化性固体状物を有する揮散器では、気化性固体状物の体積が一定以下になると、気化ガスの揮散量が不十分となり、揮散器の効能が十分に発揮されなくなる。このため、気化性固体状物を有する揮散器では、気化性固体状物が無くなるまで使用せず、気化性固体状物が小さくなって効能が発揮されなくなった時点で新しく交換することが望ましい。
【０００５】
しかしながら、上記した従来の揮散器では、気化性固体状物の減容状態を目視で確認して交換時期を判断するため、交換時期を示す明確な目安がなく、交換時期が判別しにくいという問題がある。
【０００６】
本発明は、上記した従来の問題が考慮されたものであり、交換時期を示す目安を明確に視認でき、気化性固体状物の減容状態に応じた交換時期を容易に判別することができる揮散器を提供することを目的としている。
【課題を解決するための手段】
【０００７】
本発明に係る揮散器は、空気に触れることで減容しつつ気化ガスを揮散する気化性固体状物と、該気化性固体状物を保持する保持具と、を備える揮散器であって、前記保持具には、前記気化性固体状物を囲繞する環部と、該環部の内周面に突設された支持部と、が備えられ、該支持部が、前記環部の内周面に対して交差する方向に向けて延設されていると共に前記気化性固体状物の外周部の内側に埋設されており、前記支持部を介して前記気化性固体状物が支持されていることを特徴としている。
【０００８】
このような特徴により、気化性固体状物は、その内側に埋設された支持部によって環部の内側に保持されている。また、気化性固体状物が空気に触れる状態に置かれると、気化性固体状物から気化ガスが揮散されると共に、気化性固体状物が外表面側から徐々に減容される。このように気化性固体状物の減容が進むに従い、気化性固体状物に埋設された支持部は基端側から先端側に向かって徐々に露出されていき、気化性固体状物が或る一定の大きさまで減容されると、気化性固体状物が支持部から外れて落下する。
なお、上記した「気化性固体状物」は、固体若しくはゲル状（半固体）の気化性を有する物体である。
【０００９】
また、本発明に係る揮散器は、前記気化性固体状物が、前記環部の外側に膨出されていることが好ましい。
【００１０】
これにより、気化性固体状物のうち、環部の外側に膨出された部分が露出されるので、気化性固体状物における露出面積が広くなる。気化性固体状物は、空気に触れて気化ガスを揮散するため、気化性固体状物の露出面積（空気に触れる表面積）が大きくなるほど、気化ガスの発生量が多くなる。したがって、気化性固体状物が環部の外側に膨出されて露出面積が広くなることで、気化ガスの発生量が増加される。
【００１１】
また、本発明に係る揮散器は、前記環部に、該環部を介してカプセル状に組み合わされた一対のカップが脱着可能にそれぞれ装着されており、該一対のカップによって、前記気化性固体状物の両側の膨出部がそれぞれ成形されると共に該気化性固体状物が密封されていることが好ましい。
【００１２】
これにより、揮散器を製造する際、まず、環部に一対のカップをそれぞれ装着させてカプセル状の成形型を組み立てる。その後、その環部と一対のカップとからなる成形型の内側に気化性固体状物の成形材料を充填する。これにより、環部が周設されていると共に両側に膨出部を有する気化性固体状物が成形される。また、カプセル状に組み合わされた一対のカップによって気化性固体状物が密封され、気化性固体状物と空気との接触が遮断される。つまり、気化性固体状物の成型時に成形型として用いられた一対のカップは、気化性固体状物を密封する密封容器としてそのまま利用されており、一対のカップは、気化性固体状物を成形するための成形型と、気化性固体状物を密封する密封容器と、を兼ねている。そして、上記した揮散器を使用する際には、環部から上記した一対のカップをそれぞれ取り外すことで、気化性固体状物の膨出部が空気に触れる状態となり、気化性固体状物の膨出部から気化ガスが揮散される。
【００１３】
また、本発明に係る揮散器は、前記支持部が、前記環部の径方向に沿って延在されていると共に前記環部の周方向に互いに間隔をあけて複数配設されていることが好ましい。
【００１４】
これにより、周方向に並べられた複数の支持部によって気化性固体状物が支持され、これら複数の支持部の各先端の先方の空間よりも気化性固体状物が小さくなったところで、気化性固体状物が複数の支持部から外れて落下する。
【発明の効果】
【００１５】
本発明に係る揮散器によれば、気化性固体状物が或る一定の大きさまで減容されると、気化性固体状物が支持部から外れて落下するので、気化性固体状物が支持部から落下することが交換時期を示す目安となる。したがって、交換時期を示す目安を明確に視認でき、気化性固体状物の減容状態に応じた交換時期を容易に判別することができる。
【図面の簡単な説明】
【００１６】
【図１】本発明の実施の形態を説明するための揮散器の半断面図である。
【図２】本発明の実施の形態を説明するための気化性固体状物及び保持具の斜視図である。
【図３】本発明の実施の形態を説明するための気化性固体状物、保持具及び一対のカップの半断面図である。
【図４】本発明の実施の形態を説明するための気化性固体状物の成形方法を表した半断面図である。
【図５】本発明の実施の形態を説明するための揮散器の使用状態を表した断面図である。
【図６】本発明の実施の形態を説明するための揮散器の使用状態を表した断面図である。
【図７】本発明の実施の形態を説明するための揮散器の使用状態を表した断面図である。
【発明を実施するための形態】
【００１７】
以下、本発明に係る揮散器の実施の形態について、図面に基いて説明する。
なお、図１に示す符号Ｏは、後述する内環部３１（本発明の環部に相当する。）の中心軸線を示しており、以下「軸線Ｏ」と記す。また、本発明では、この軸線Ｏに沿った方向を「軸方向」とし、軸線Ｏに直交する方向を「径方向」とし、軸線Ｏ回りの方向を「周方向」とする。また、本実施の形態では、軸方向の一方側（図１における上側）を「上」とし、軸方向の他方側（図１における下側）を「下」とする。
【００１８】
図１に示すように、揮散器１は、空気に触れることで減容しつつ気化ガスを揮散する気化剤２（本発明の気化性固体状物に相当する。）と、気化剤２を保持する保持具３と、気化剤２を密封する一対のカップ４Ａ，４Ｂと、保持具３を支持すると共に気化剤２を収容したケース５と、を備えている。なお、上記した気化剤２と保持具３と一対のカップ４Ａ，４Ｂとによってケース５に対して脱着可能な揮散器本体１０（図３に示す）が形成されており、本実施の形態における揮散器１は、揮散器本体１０を交換することで繰り返し使用可能な揮散器である。
【００１９】
図１、図２に示すように、気化剤２は、空気に触れることで例えば芳香、消臭、防虫、殺虫、除虫等の効果を持つ気化ガスを発生する物体であり、一定の形状を有するブロック状の気化剤である。また、気化剤２は、後述する内環部３１の内側に保持されていると共にその内環部３１の内側から外側に膨出されている。詳しく説明すると、気化剤２は、気化性を有する原材料（成形材料２１）を略球状に成形したゲル状（半固体）のボール状物であり、後述する内環部３１の軸方向端部（開口端）から内環部３１の外方に向けて膨出された半球状の膨出部２０Ａ，２０Ｂが上下にそれぞれ形成されている。なお、気化剤２は、ゲル状の物体でなくてもよく、固体であってもよい。
【００２０】
保持具３は、軸方向に延在する外環部３０と、外環部３０の内側に配設された内環部３１と、外環部３０と内環部３１とを連結する連結部３２と、気化剤２を支持する支持部３３と、を備えている。外環部３０は、軸線Ｏを中心軸線にして配設された円筒形状のリングである。内環部３１は、気化剤２を囲繞する円筒形状のリングであり、気化剤２の軸方向中央部分の外周に軸線Ｏ回りに周設されている。また、内環部３１は、外環部３０よりも小径のリングであり、軸線Ｏを共通軸にして外環部３０と同軸上に配設されている。連結部３２は、軸線Ｏに対する垂直面（径方向）に沿って延設された円環状の板部であり、外環部３０と内環部３１との間に配設されている。連結部３２の外縁は外環部３０に一体に連結されており、連結部３２の内縁は内環部３１に一体に連結されている。上記した外環部３０と内環部３１とは軸方向の長さ寸法が略同一であり、また、連結部３２は外環部３０や内環部３１の軸方向の中央部分に配設されており、外環部３０と内環部３１と連結部３２とは縦断面視Ｈ字状に形成されている。
【００２１】
支持部３３は、内環部３１の内周面に突設された板部であり、略球状の気化剤２の外周部の内側に埋設されている。つまり、支持部３３は、気化剤２の中心部分を回避した位置に配設されている。また、支持部３３は、内環部３１の内周面に対して交差する方向に向けて延設されている。詳しく説明すると、支持部３３は、縦向き（板厚方向を水平にした向き）に配設された矩形状の板部であり、内環部３１の径方向に沿って延設されている。また、支持部３３は、径方向の寸法が軸方向の寸法よりも長い長方形状の板部である。この支持部３３の基端（内環部３１の径方向外側の端部）は、内環部３１の内周面に一体に連結されており、支持部３３は、内環部３１の内周面に片側支持されている。
【００２２】
また、支持部３３は、周方向に互いに間隔をあけて複数配設されている。具体的には、４枚の支持部３３が周方向に均等に配置されており、軸線Ｏを挟んで対向する支持部３３，３３は、軸線Ｏを対称軸にして線対称に形成されている。また、支持部３３の突出長さ（径方向の長さ寸法）は、内環部３１の内周半径よりも短く、支持部３３は、内環部３１の内周面から内環部３１の中心（軸線Ｏ）の手前まで延設され、軸線Ｏを挟んで対向する支持部３３，３３の各先端面の間には、所望の効果が期待できる気化剤２の最小径よりも大きい間隔があけられている。
【００２３】
図１、図３に示すように、一対のカップ４Ａ，４Ｂは、上記した内環部３１に脱着可能にそれぞれ装着されており、内環部３１を介してカプセル状に組み合わせられるカップである。これら一対のカップ４Ａ，４Ｂは、上記した気化剤２の上下の膨出部２０Ａ，２０Ｂをそれぞれ成形するための成形型であると共に、内環部３１を介して組み合わされることで、気化剤２を密封する密閉容器となる部材である。
【００２４】
詳しく説明すると、カップ４Ａ，４Ｂの開口端には、軸方向に延設する円筒形状の嵌合筒部４１が設けられている。この嵌合筒部４１は、カップ４Ａ，４Ｂの開口端よりも大径であって内環部３１の外側に脱着可能に嵌合される筒部であり、開口端から径方向外側に向けて延びた段差部４０を介してカップ４Ａ，４Ｂの開口端に連結されている。具体的には、下側のカップ４Ａは、その上端に設けられた嵌合筒部４１が内環部３１の下部（連結部３２よりも下側の部分）の外周に嵌合されることで、内環部３１に装着されている。また、上側のカップ４Ｂは、その下端に設けられた嵌合筒部４１が内環部３１の上部（連結部３２よりも上側の部分）の外周に嵌合されることで、内環部３１に装着されている。
【００２５】
また、一対のカップ４Ａ，４Ｂは、略半球状のカップであり、上下対称に配設されることで略球状を成している。球状に組み合わされた一対のカップ４Ａ，４Ｂの内側には上記した気化剤２が収容されており、これらのカップ４Ａ，４Ｂによって気化剤２の膨出部２０Ａ，２０Ｂの外表面が被覆されている。なお、カップ４Ａ，４Ｂの内周面は、気化剤２の膨出部２０Ａ，２０Ｂの外表面に密接されている。
【００２６】
また、一対のカップ４Ａ，４Ｂのうちの一方のカップ（下側のカップ４Ａ）には、気化剤２の成形材料２１（図４に示す。）を注入するための注入口４２が形成され、その注入口４２は、封止部材４３によって封止されている。注入口４２は、カップ４Ａの内部に連通された円筒形状の筒部であり、カップ４Ａの底部の中央部分からカップ４Ａの外方側（下側）に向けて突出されている。封止部材４３は、上記した筒状の注入口４２に被着される有底円筒形状のキャップであり、注入口４２に対して嵌合若しくは螺合されている。
【００２７】
図１に示すように、ケース５は、上下に分割可能なカプセル状の容器であり、その概略構成としては、気化剤２の下部（膨出部２０Ａ）を収容すると共に保持具３を支持する台座５０と、台座５０の上方に被せられて気化剤２の上部（膨出部２０Ｂ）を収容する上蓋５１と、を備えている。
【００２８】
台座５０は、上端が開口された椀状の有底筒体であり、台座５０の上端開口部には、上記した外環部３０が脱着可能に装着されている。詳しく説明すると、台座５０の概略構成としては、下方に向かう従い漸次縮径された周壁部５２と、周壁部の下端に設けられた底部５３と、が備えられている。周壁部５２の上端部の内周面には、内径が全周に亘って段差状に拡径された装着部５４が形成されており、この装着部５４の内側に、上記した外環部３０の下部が脱着可能に嵌合されている。
【００２９】
上蓋５１は、下端が開口された略半球形状の蓋体であり、上記した外環部３０に脱着可能に装着されている。詳しく説明すると、上蓋５１の下端部の内周面には、内径が全周に亘って段差状に拡径された装着部５５が形成されており、この装着部５５の内側に、上記した外環部３０の上部が脱着可能に嵌合されている。
また、上記した台座５０（周壁部５２）及び上蓋５１には、複数の開口５６が形成されており、これらの開口５６を介してケース５の内外が連通されている。
【００３０】
次に、上記した気化剤２と保持具３と一対のカップ４Ａ，４Ｂとからなる揮散器本体１０の製造方法について説明する。
【００３１】
まず、図４に示すように、保持具３の内環部３１に一対のカップ４Ａ，４Ｂをそれぞれ装着させる工程を行う。具体的に説明すると、一方のカップ４Ａの嵌合筒部４１を内環部３１の一端部の外周に嵌合させると共に、他方のカップ４Ｂの嵌合筒部４１を内環部３１の他端部の外周に嵌合させる。これにより、一対のカップ４Ａ，４Ｂが内環部３１を介してカプセル状に組み合わされ、これら一対のカップ４Ａ，４Ｂからなる略球状の成形型が完成する。なお、これら一対のカップ４Ａ，４Ｂからなる成形型の内側には、リング状の内環部３１及び複数の支持部３３がそれぞれ配置されている。
【００３２】
次に、一対のカップ４Ａ，４Ｂからなる上記した成形型の中に気化剤２の成形材料２１を充填して気化剤２を成形する工程を行う。具体的に説明すると、予め、一方のカップ４Ａに設けられた注入口４２から封止部材４３を取り外しておく。また、一対のカップ４Ａ，４Ｂのうち、注入口４２が設けられた一方のカップ４Ａが他方のカップ４Ｂの上方に配置されるように成形型（一対のカップ４Ａ，４Ｂ）をセットする。そして、図示せぬ注入機によって、上方に向けて突出された注入口４２から流体状の気化剤２の成形材料２１を一対のカップ４Ａ，４Ｂの内側に注入し、一対のカップ４Ａ，４Ｂの内側に成形材料２１を充填する。これにより、一対のカップ４Ａ，４Ｂの内側にゲル状の気化剤２が成形される。この気化剤２の軸方向中央部分には内環部３１が周設され、また、気化剤２の内側には、複数の支持部３３が埋設されている。また、気化剤２の成形完了後、注入口４２に封止部材４３を被着させて注入口４２を封止する。これにより、一対のカップ４Ａ，４Ｂが密閉され、気化剤２が外気から遮断される。つまり、一対のカップ４Ａ，４Ｂが、気化剤２を収容する密閉容器となり、気化剤２の気化が抑制される。
以上により、気化剤２と保持具３と一対のカップ４Ａ，４Ｂとからなる揮散器本体１０が完成する。
なお、商品の流通段階においては、一対のカップ４Ａ，４Ｂを装着した状態の揮散器本体１０をケース５内に配置しておくことができる。この時、キャップが被着された円筒形状の注入口４２が、台座５０の底部５３上に載置されることで、揮散器本体１０の安定した収納状態が維持される。
【００３３】
次に、上記した構成からなる揮散器１の使用方法について説明する。
【００３４】
まず、揮散器本体１０から一対のカップ４Ａ，４Ｂをそれぞれ取り外す工程を行う。具体的に説明すると、例えば、図１に示すように揮散器本体１０がケース５の内側に収容されている場合には、まず、台座５０から上蓋５１を取り外してケース５を開封し、ケース５内の揮散器本体１０を取り出す。続いて、保持具３の内環部３１を介して組み合わされたカプセル状の一対のカップ４Ａ，４Ｂを開封する。すなわち、一対のカップ４Ａ，４Ｂの各嵌合筒部４１を内環部３１から引き抜き、一対のカップ４Ａ，４Ｂを内環部３１からそれぞれ取り外す。これにより、気化剤２の膨出部２０Ａ，２０Ｂが露出される。なお、一対のカップ４Ａ，４Ｂを取り外す前に、上記した注入口４２に被着された封止部材４３を取り外すことが好ましい。これにより、注入口４２からカプセル状の一対のカップ４Ａ，４Ｂの内側に外気が流入し、一対のカップ４Ａ，４Ｂが内環部３１及び気化剤２から取り外し易くなる。
【００３５】
次に、図５に示すように、保持具３によって保持された気化剤２をケース５に収納する工程を行う。具体的に説明すると、台座５０の装着部５４の内側に保持具３の外環部３０の下部を嵌合させ、気化剤２を保持する保持具３を台座５０に載せる。これにより、台座５０の内側に気化剤２の下側の膨出部２０Ａが収納される。次に、上蓋５１の装着部５５を保持具３の外環部３０の上部に嵌合させ、台座５０の上に上蓋５１を被着させる。これにより、上蓋５１の内側に気化剤２の上側の膨出部２０Ｂが収納される。以上により、気化剤２が、保持具３の内環部３１の内側に保持されると共に、その保持具３を介して支持された状態でカプセル状のケース５の内側に収納される。また、ケース５には複数の開口５６が形成されており、これらの開口５６からケース５内に空気が流入するため、ケース５内に収納された気化剤２は外気に晒された状態となる。
【００３６】
次に、上記した構成からなる揮散器１の作用について説明する。
【００３７】
図５に示すように、気化剤２が空気に触れる状態に置かれると、気化剤２の外表面が気化して気化剤２から所望の効能を有する気化ガスが揮散される。この気化ガスは、ケース５の複数の開口５６からケース５の外部に放出され、これによって、気化ガスによる所望の効果が得られる。また、上記した気化剤２は内環部３１の外側に膨出されており、その膨出された部分（膨出部２０Ａ，２０Ｂ）が露出されているので、上記した気化剤２では、広い露出面積（外表面のほぼ全面）が確保され、十分な量の気化ガスが発生される。
【００３８】
また、図６に示すように、気化剤２の外表面が気化するのに伴い、気化剤２が外表面側から徐々に減容される。すなわち、略球状の気化剤２は、空気に触れた状態に置かれると、気化ガスを揮散すると共に漸次縮径されていく。このように気化剤２の減容が進むに従い、気化剤２に埋設された支持部３３は基端側から先端側に向かって徐々に露出されていき、支持部３３の気化剤２に対する定着長（気化剤２に埋設されている部分の長さ）は漸次短くなっていく。
【００３９】
そして、図７に示すように、気化剤２が或る一定の大きさまで減容されると、つまり、軸線Ｏを挟んで対向する支持部３３，３３の各先端面間の間隔よりも小さくなったところで、気化剤２が支持部３３から外れて落下する。すなわち、気化剤２が所望の効果を発揮するのに必要な大きさ（所望の効果が期待できる気化剤２の最小径）よりも小さくなると、気化剤２が支持部３３によって支持されなくなり、台座５０の底部５３上に落下する。
【００４０】
上記した揮散器１によれば、気化剤２が所望の効果を発揮するのに必要な大きさよりも小さくなると支持部３３から外れて落下するので、気化剤２が落下したことが交換時期を示す目安となる。つまり、気化剤２が支持部３３から外れて落下したら新たな揮散器本体１０に交換すればよく、交換時期を示す目安を明確に視認でき、気化剤２の減容状態に応じた交換時期を容易に判別することができる。
【００４１】
また、上記した揮散器１では、気化剤２が内環部３１の外側に膨出されており、気化剤２の広い露出面積が確保されているので、十分な量の気化ガスを発生させることができ、気化ガスによる揮散器１の効能を十分に発揮させることができる。
【００４２】
また、上記した揮散器１では、気化剤２の成形時に成形型として用いられた一対のカップ４Ａ，４Ｂは、気化剤２を密封する密封容器としてそのまま利用されており、一対のカップ４Ａ，４Ｂは、気化剤２を成形するための成形型と気化剤２を密封する密封容器とを兼ねているので、気化剤２の成形後に成形型（一対のカップ４Ａ，４Ｂ）の脱型作業を行う必要が無く、また、気化剤２を密封する密封作業を行う必要もない。これにより、生産性の向上とコストダウンを図ることができる。
【００４３】
また、上記した揮散器１では、複数の支持部３３が、内環部３１の径方向に沿って延在されていると共に内環部３１の周方向に互いに間隔をあけて配設されているので、ゲル状の気化剤２を確実に保持することができると共に、気化剤２が上記した所定の大きさまで減容されたところで気化剤２を確実に落下させることができ、交換時期を確実に示すことができる。
しかも、上記した支持部３３は、縦置きに配設された板状の部材であるので、強度を確保しつつ支持部３３の体積を抑えることができ、コスト削減を図ることができる。
【００４４】
以上、本発明に係る揮散器の実施の形態について説明したが、本発明は上記した実施の形態に限定されるものではなく、その趣旨を逸脱しない範囲で適宜変更可能である。
例えば、上記した実施の形態では、台座５０と上蓋５１とからなる分割可能なカプセル状のケース５が備えられ、台座５０に保持具３が支持されていると共に、ケース５の内側に気化剤２が収納されているが、本発明は、上記した形状のケース５を有するものに限定されるものではなく、上記したケース５以外の形状のケースを用いることも可能である。さらに、本発明は、ケースが省略され、ケース以外の他の部材によって保持具３が支持されていてもよく、例えば、保持具３を紐等で吊り下げ支持する構成であってもよく、或いは、保持具３に台座等が一体に形成されていてもよい。
【００４５】
また、上記した実施の形態では、軸線Ｏを鉛直にした向きで保持具３が設置されているが、本発明は、保持具３の向きは適宜変更可能であり、例えば軸線Ｏを水平にした向きで保持具３が設置されていてもよい。
【００４６】
また、上記した実施の形態では、径方向に延在する矩形板状の支持部３３が周方向に複数配設されているが、本発明は、支持部の数や位置、形状は適宜変更可能である。
具体的には、上記した実施の形態では、４枚の支持部３３が周方向に均等に配設されているが、本発明は、２枚の支持部が軸線Ｏを挟んで対称に配置されてもよく、或いは１枚の支持部で気化剤２を支持することも可能である。
また、上記した実施の形態では、支持部３３が縦置きに配設された矩形状の板部からなるが、板状の支持部が横置きに配置されていてもよく、或いは、棒状の支持部であってもよい。
また、上記した実施の形態では、支持部３３が内環部３１の内周面に対して垂直に突設されており、支持部３３が径方向に延在されているが、本発明は、径方向以外の方向に延在する支持部であってもよく、例えば、径方向内側に向かって下向きに傾斜した支持部であってもよい。
また、本発明は、気化剤２の中心部分を回避した位置に支持部３３が配設されていればよく、支持部の先端部分、及び／又は中間部分を周方向に連結してもよい。この場合、例えば環状の連結部材によって全ての支持部を周方向に連結してもよいが、例えば平面視円弧状の連結部材によって複数の支持部のうちの一部を連結してもよい。さらに、支持部が、周方向に沿った円環状または円弧状のフランジ部であってもよい。
【００４７】
また、上記した実施の形態では、成形型と密閉容器とを兼ねる一対のカップ４Ａ，４Ｂが備えられ、下側のカップ４Ａに円筒形状の注入口４２が設けられ、その注入口４２にキャップ状の封止部材４３が装着されているが、本発明は、注入口が単なる開口であってもよく、また、注入口をシール材（封止部材）によって封止することも可能である。また、上記した一対のカップ４Ａ，４Ｂを成形型として使用しない場合には、注入口及び封止部材を省略することも可能である。さらに、本発明は、上記した一対のカップ４Ａ，４Ｂを省略することも可能である。例えば、気化剤２の成形後に成形型を脱型し、その後、気化剤２にカバーや被覆シートを被着させてもよい。
【００４８】
また、上記した実施の形態では、略球状の気化剤２が設けられているが、本発明は、気化性固体状物の形状は適宜変更可能であり、例えば、立方体形状や円柱形状、角柱形状の気化性固体状物であってもよい。
【００４９】
また、上記した実施の形態では、保持具３に、円筒形状の外環部３０と、円筒形状の内環部３１と、円環状の連結部３２と、が備えられているが、本発明は、外環部３０や連結部３２を適宜省略することも可能であり、また、円筒形状以外の他の形状の環部（内環部３１）であってもよく、例えば、断面視円形のＯリング状の環部であってもよい。
【００５０】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５１】
１  揮散器
２  気化剤（気化性固体状物）
３  保持具
４Ａ、４Ｂ  一対のカップ
２０Ａ、２０Ｂ  膨出部
３１  内環部（環部）
３３  支持部
【図１】
2011000330.tif 000003
【図２】
2011000330.tif 000004
【図３】
2011000330.tif 000005
【図４】
2011000330.tif 000006
【図５】
2011000330.tif 000007
【図６】
2011000330.tif 000008
【図７】
2011000330.tif 000009